(57)【特許請求の範囲】
【請求項１】
原稿が載置される透光部材と、
該透光部材に沿って走査され、前記透光部材を介して原稿画像を読み取る画像読取手段と、
該画像読取手段の前記走査を駆動する駆動手段と、
該画像読取手段と接続され、前記画像読取手段の読取走査を制御する制御基板と、
該制御基板からの出力信号を外部機器に伝達するために外部機器と接続されるインターフェイスのケーブルを接続するためのインターフェイスコネクタと、を備えた画像読取装置において、
前記制御基板と前記駆動手段とを前記画像読取手段と一体的に設け、
前記制御基板と前記インターフェイスコネクタとの間を前記インターフェイスの信号を伝達する可撓性のインターフェイスケーブルで接続したことを特徴とする画像読取装置。
【請求項２】
前記透光部材の周りが枠体で覆われており、
前記可撓性のインターフェイスケーブルを前記透光部材の周りに沿って這いまわしたことを特徴とする請求項１に記載の画像読取装置。
【請求項３】
前記インターフェイスコネクタが前記画像読取手段のエンドポジション側に配置され、
前記画像読取手段がホームポジションに位置するとき、前記可撓性のインターフェイスケーブルが前記透光部材の周りに沿った前記枠体で隠れて見えなくなることを特徴とする請求項２に記載の画像読取装置。
【請求項４】
前記可撓性のケーブルはフラットケーブルであり、
該フラットケーブルの幅広面を前記透光部材面と垂直にしたことを特徴とする請求項１、２、又は３に記載の画像読取装置。
【請求項５】
前記画像読取手段を動作させる操作スイッチを前記画像読取手段と一体的に設けたことを特徴とする請求項１乃至４のいずれか一つに記載の画像読取装置。
【請求項６】
前記インターフェイスは、ＵＳＢであることを特徴とする請求項１乃至５のいずれか一
つに記載の画像読取装置。
【請求項７】
前記インターフェイスは、ＩＥＥＥ１３９４であることを特徴とする請求項１乃至５のいずれか一つに記載の画像読取装置。
【発明の詳細な説明】
【０００１】
【発明の属する技術分野】
本発明は、例えば読取ユニットを走査させて原稿台ガラス上の原稿の画像を読み取る画像読取装置に関するものである。
【０００２】
【従来の技術】
従来、この種の画像読取装置としては、たとえば、図４に示すものがある。
【０００３】
図４において、透光部材としての原稿台ガラス１０５上に原稿Ｐを載置した後、原稿カバー１を閉じて原稿Ｐを原稿台ガラス１０５上に押圧する。
【０００４】
１０１は外装カバーを兼ねる枠体で、内部にガイドバー１０２や画像読取手段としての読取ユニット１１０及びホルダ１０７等の構成要素が配設されている。
【０００５】
読取ユニット１１０は、モータ１０６の駆動回転により、ガイドシャフト１０２にガイドされて原稿台ガラス１０５に沿って平行に走査されることにより、原稿Ｐ上の画像を読み取る。
【０００６】
読取ユニット１１０中には、原稿照射用の光源である三色（Ｒ、Ｇ、Ｂ）のＬＥＤ、原稿からの反射光をイメージセンサの受光素子上に結像するロッドレンズアレイ及びイメージセンサが組込まれている。三色ＬＥＤの光源を順次切り替えて点灯し、イメージセンサが各色ごとの原稿からの反射光を読み取って色分解読取をする。
【０００７】
読取ユニット１１０は、ホルダ１０７上に配置され、原稿台ガラス１０５に突き当てられている。このホルダ１０７と読取ユニット１１０によって走査移動を行う画像読取手段が構成される。
【０００８】
ホルダ１０７にはスライダ１１２が配設されており、スライダ１１２によってホルダ１０７がガイドシャフト１０２上で摺動可能に支持されている。
【０００９】
ガイドシャフト１０２は、端部を枠体１０１の軸受け部に支持されて枠体１０１にビスで固定され、回転防止及び位置決めされている。
【００１０】
枠体１０１下部には、読取ユニット１１０がガイドシャフト１０２に沿って移動するための駆動源であるモータ１０６が配設されている。
【００１１】
枠体１０１内には、モータ１０６からの駆動力をホルダ１０７及び読取ユニット１１０に伝達する伝達機構が収容されている。伝達機構としては、駆動ワイヤ１０４及びプーリ１０３がある。
【００１２】
駆動ワイヤ１０４は、その一端を枠体１０１に固定されており、その他端を不図示の偏倚手段により支持されており、所定の張力を保っている。また、駆動ワイヤ１０４には、ホルダ１０７が固定され、駆動ワイヤ１０４の移動に伴ってホルダ１０７が移動可能となっている。
【００１３】
プーリ１０３には、駆動ワイヤ１０４が掛け回されており、モータ１０６の駆動力がプーリ１０３に伝達される。
【００１４】
そして、モータ１０６の駆動力がプーリ１０３に伝達され、さらにプーリ１０３に掛け回された駆動ワイヤ１０４に伝わり、ホルダ１０７及び読取ユニット１１０が移動する。このため、モータ１０６及びプーリ１０３の正逆転に応じて駆動ワイヤ１０４が正逆転移動することにより、読取ユニット１１０は原稿台ガラス１０５に平行に往復移動できる。
【００１５】
また枠体１０１下部には、メイン基板１０８が配設されており、読取ユニット１１０の制御信号路であるフラットケーブル１１１が接続されると共に、駆動手段であるモータ１０６及びプーリ１０３の制御信号路であるフラットケーブル１１３が接続されている。
【００１６】
【発明が解決しようとする課題】
しかしながら、上記のような従来技術の場合には、メイン基板１０８は枠体１０１に固定されており、このメイン基板１０８に読取ユニット１１０の制御信号路であるフラットケーブル１１１が接続されていた。
【００１７】
読取ユニット１１０の制御信号路は信号線の本数が多く、フラットケーブル１１１の幅広面が非常に広い形状となってしまうため、フラットケーブル１１１の幅広面を図４に示すように原稿台ガラス１０５面と平行に配置しなければならなかった。
【００１８】
このような配置で、装置が薄型の場合は、原稿台ガラス１０５面とフラットケーブル１１１が接触し、例えば読取ユニット１１０が図５（ａ）のような矢印Ｂの方向の移動は、原稿台ガラス１０５面との摩擦力に対向した方向にフラットケーブル１１１を移動させるため、図５（ｂ）のようにフラットケーブル１１１が座屈しやすかった。
【００１９】
また、従来技術では、フラットケーブル１１１の幅広面の幅が広く、原稿台ガラス１０５面と平行に配置していたため、フラットケーブル１１１を原稿台ガラス１０５の周りの枠体一部であるフレーム部に隠すのが難しく、枠体１０１内のフラットケーブル１１１が見えてしまい、見栄えが良くなかった。
【００２０】
本発明は上記の従来技術の課題を解決するためになされたもので、その目的とするところは、装置内に配置されるケーブルの座屈を防止し、また装置内のケーブルが見えない見栄えの良い、装置内の構成の簡略化を図る画像読取装置を提供することにある。
【００２１】
【課題を解決するための手段】
上記目的を達成するために本発明にあっては、
原稿が載置される透光部材と、
該透光部材に沿って走査され、前記透光部材を介して原稿画像を読み取る画像読取手段と、
該画像読取手段の前記走査を駆動する駆動手段と、
該画像読取手段と接続され、前記画像読取手段の読取走査を制御する制御基板と、
該制御基板からの出力信号を外部機器に伝達するために外部機器と接続されるインターフェイスのケーブルを接続するためのインターフェイスコネクタと、を備えた画像読取装置において、
前記制御基板と前記駆動手段とを前記画像読取手段と一体的に設け、
前記制御基板と前記インターフェイスコネクタとの間を前記インターフェイスの信号を伝達する可撓性のインターフェイスケーブルで接続したことを特徴とする。
【００２２】
したがって、インターフェイスケーブルは、画像読取手段から読取走査を制御する制御基板までをケーブルで接続する場合に比してケーブル内の信号線の数が減少するので、装置内に配置されるケーブルを細くすることができ、装置内のケーブルの這いまわしが簡略化する。また、駆動手段は画像読取手段の走査に伴って共に移動するので、画像読取手段と駆動手段を接続するケーブルが装置内に必要なくなり、見栄えが良くなると共に構成が簡略化される。
【００２３】
前記透光部材の周りが枠体で覆われており、
前記可撓性のインターフェイスケーブルを前記透光部材の周りに沿って這いまわしたことが好ましい。
【００２４】
これにより、信号線の数が減少した細いインターフェイスケーブルを透光部材の周りに沿って這いまわすので、装置内の構成を簡略化できる。
【００２５】
前記インターフェイスコネクタが前記画像読取手段のエンドポジション側に配置され、
前記画像読取手段がホームポジションに位置するとき、前記可撓性のインターフェイスケーブルが前前記透光部材の周りに沿った前記枠体で隠れて見えなくなることが好ましい。
【００２６】
これにより、画像読取手段がホームポジションに位置するときはケーブルが見えなくなり、装置内のケーブルが見えなく、装置の見栄えを良くすることができる。
【００２７】
前記可撓性のケーブルはフラットケーブルであり、
該フラットケーブルの幅広面を前記透光部材面と垂直にしたことが好ましい。
【００２８】
これにより、インターフェイスケーブルでは、画像読取手段から読取走査を制御する制御基板までをケーブルで接続する場合に比してケーブル内の信号線の数が減少するので、フラットケーブルの幅広面を狭くでき、装置内のケーブルの這いまわしが簡略化する。このため、フラットケーブルの幅広面を透光部材面と垂直にしても装置は薄型のままにでき、またフラットケーブルの幅広面が透光部材面と接触せず、画像読取手段が移動するときに透光部材からの摩擦力を受けることがなく座屈が防止できる。また、フラットケーブルの幅広面が透光部材面と垂直になって、透光部材の周りの枠体の下に隠れることにより、見栄えも良くなる。
【００３１】
前記画像読取手段を動作させる操作スイッチを前記画像読取手段と一体的に設けたことが好ましい。
【００３２】
これにより、操作スイッチは画像読取手段の走査に伴って共に移動する。そして、操作スイッチのための基板が装置内に必要なくなり、見栄えが良くなると共に構成が簡略化され、コストダウンになる。
【００３３】
前記インターフェイスは、ＵＳＢであることが好ましい。
【００３４】
ＵＳＢは、信号線の数を示すピン数が少ないインターフェイスであるので、装置内に配置されるインターフェイスケーブルを細くすることができる。
【００３５】
前記インターフェイスは、ＩＥＥＥ１３９４であることが好ましい。
【００３６】
ＩＥＥＥ１３９４は、信号線の数を示すピン数が少ないインターフェイスであるので、装置内に配置されるインターフェイスケーブルを細くすることができる。
【００３７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００３８】
図１〜図３を参照して、実施の形態について説明する。図１は本実施の形態の画像読取装置の概略構成図である。
【００３９】
１０１は枠体であり、上部に透光部材としての原稿台ガラス１０５を備え、装置の外装カバーを兼ねている。
【００４０】
１０２は枠体１０１に両端を固定されたガイドシャフトである。ガイドシャフト１０２は、端部を枠体１０１の軸受け部に支持されて枠体１０１にビスで固定され、回転防止及び位置決めされている。このガイドシャフト１０２にホルダ１０７が摺動可能に支持されている。
【００４１】
ホルダ１０７にはスライダ１１２が配設されており、スライダ１１２によってホルダ１０７がガイドシャフト１０２上で摺動可能に支持されている。
【００４２】
１１０は読取ユニットである。読取ユニット１１０は、ホルダ１０７上に配置され、原稿台ガラス１０５に突き当てられている。ホルダ１０７と読取ユニット１１０によって走査移動を行う画像読取手段が構成される。
【００４３】
読取ユニット１１０中には、原稿照射用の光源である三色（Ｒ、Ｇ、Ｂ）のＬＥＤ、原稿からの反射光をイメージセンサの受光素子上に結像するロッドレンズアレイ及びイメージセンサが組込まれている。三色ＬＥＤの光源を順次切り替えて点灯し、イメージセンサが各色ごとの原稿からの反射光を読み取って色分解読取をする。
【００４４】
１０６はホルダ１０７に固定されたモータである。このため、モータ１０６は読取ユニット１１０の走査に伴って移動する。
【００４５】
１０３はホルダー１０７に固定され、掛け回された駆動ワイヤ１０４に同期して回転することにより、読取ユニット１１０を走査させるプーリである。
【００４６】
駆動ワイヤ１０４は、その一端を枠体１０１に固定されており、その他端を不図示の偏倚手段により支持されており、所定の張力を保っている。また、駆動ワイヤ１０４には、ホルダ１０７が固定され、駆動ワイヤ１０４の移動に伴ってホルダ１０７が移動可能となっている。
【００４７】
１２２は読取走査を制御する制御基板であるメイン基板である。メイン基板１２２はホルダー１０７に固定されており、読取ユニット１１０の走査に伴って移動する。
【００４８】
１２６はメイン基板１２２に配置された操作スイッチとしてのタクトスイッチである。即ち、タクトスイッチ１２６は画像読取手段（読取ユニット１１０及びホルダー１０７）と一体化されている。また、メイン基板１２２にはフラットケーブル１２１に接続されるコネクタ１２８が配置されている。
【００４９】
１２３は枠体１０１に固定され、読取ユニット１１０のエンドポジション側に配置されたＵＳＢコネクタ基板である。基板１２３には、装置外部からＵＳＢケーブルを接続するためのインターフェイスコネクタとしてのＵＳＢコネクタ１２４が設けられている。また、基板１２３には、ＵＳＢコネクタ１２４の信号線をフラットケーブル１２１に送信するためのコネクタ１２５が設けられている。
【００５０】
フラットケーブル１２１は片端をＵＳＢコネクタ基板１２３上のコネクタ１２５に、他端をメイン基板１２２上のコネクタ１２８に差し込まれ、略一回りにまわしこまれることにより、装置内で、原稿台ガラス１０５面と垂直方向にフラットケーブル１２１の幅広面がくるようなっている。フラットケーブル１２１は読取ユニット１１０の下にこないように、読取ユニット１１０の脇を通されて原稿台ガラス１０５の周りの枠体１０１の一部の側壁に沿って這いまわされている。
【００５１】
このフラットケーブル１２１には、読取ユニット１１０から読取走査を制御するメイン基板１２２までをケーブルで接続する場合に比してケーブル内の信号線の数が減少するインターフェイスケーブルを用いるので、装置内に配置されるフラットケーブル１２１は細くすることができ、装置内のフラットケーブル１２１の這いまわしが簡略化する。
【００５２】
このため、装置内で、原稿台ガラス１０５と垂直方向にフラットケーブル１２１の幅広面がくるように這いまわされていても、装置は厚みの薄い薄型に構成でき、フラットケーブル１２１が原稿台ガラス１０５と接触することもない。
【００５３】
なお、本実施の形態で用いたＵＳＢは、信号線の数を示すピン数が少ないインターフェイスであり、装置内に配置されるフラットケーブル１２１を細くすることができる。
【００５４】
また、１２７は枠体１０１に支持されたボタンである。このボタン１２７で読取ユニット１１０がホームポジションに位置する時にタクトスイッチ１２６を外部から操作することができる。即ち、図２の状態でボタン１２７を押すとタクトスイッチ１２６がＯＮになり、読取がスタートされる。
【００５５】
以上の画像読取装置では、読取ユニット１１０は、モータ１０６の駆動回転により、ガイドシャフト１０２にガイドされて原稿台ガラス１０５に沿って平行に走査されることにより、原稿Ｐ上の画像を読み取る。
【００５６】
したがって、本実施の形態では、読取ユニット１１０が往復動するとき、フラットケーブル１２１は原稿台ガラス１０５と接触していないため、原稿台ガラス１０５面との摩擦力に対向した方向にフラットケーブル１２１を移動させて座屈させてしまうことが防止できる。
【００５７】
また、フラットケーブル１２１を原稿台ガラス１０５の周りに沿って這いまわしており、またコネクタ１２５が読取ユニット１１０のエンドポジション側に配置されているので、読取ユニット１１０がホームポジションに位置するとき、フラットケーブル１２１が枠体１０１の下に隠れて見えなくなる。
【００５８】
このため、図３に示すように、読取ユニット１１０がホームポジションに位置するときはフラットケーブル１２１が見えなくなり、装置内のケーブル１２１が見えなく、装置の見栄えを良くすることができる。
【００５９】
また、モータ１０６及びプーリ１０３も読取ユニット１１０と一体的に設けられており、走査に伴って共に移動する。このため、読取ユニット１１０とモータ１０６を接続するケーブルが装置内に必要なくなり、図３に示すように原稿台ガラス１０５からは枠体１０１内からモータ１０６及びプーリ１０３も見えなくなり、見栄えが良くなると共に構成が簡略化される。
【００６０】
また、タクトスイッチ１２６も読取ユニット１１０と一体的に設けられており、走査に伴って共に移動する。このため、タクトスイッチ１２６を設けるための基板がメイン基板１２２で兼用することができ、タクトスイッチ１２６用の基板がなくなり、見栄えが良くなると共に構成が簡略化される。
【００６１】
なお、装置内を這いまわすＵＳＢケーブルとしては、フラットケーブル１２１ではなく束線でも良い。
【００６２】
また、インターフェイスはＵＳＢに限らず、ＩＥＥＥ１３９４など、ピン数の少ないインターフェイスなら、同様にケーブルを這いまわすことができる。
【００６４】
【発明の効果】
以上説明したように、本発明は、原稿台の下を走査する画像読取手段に、制御基板と駆動手段とを一体的に設けたことにより、インターフェースケーブルだけを装置に這いまわすので、装置の構成が簡略化される。
【００６５】
装置に這いまわされるインターフェースケーブルとしてフラットケーブルを用いると、信号線が少なく、フラットケーブルの幅広面が狭くてすむため、透光部材面と垂直にフラットケーブルの幅広面を配置することができる。
【００６６】
このことにより、画像読取手段が移動するときに、透光部材とフラットケーブルが接触せず、透光部材面からの摩擦力を受けることがないので座屈が防止できる。
【００６７】
また、インターフェースケーブルを透光部材周りの枠体の隅に配置することにより、インターフェースケーブルが見えなくなり、見栄えも良くなった。
【００６８】
さらに、操作スイッチを画像読取手段に一体的に配置することにより、操作スイッチのための基板を配置する必要がなくなり、コストダウンになる。
【図面の簡単な説明】
【図１】本実施の形態に係る画像読取装置の内部構成概略図である。
【図２】本実施の形態に係る画像読取装置のホームポジションに画像読取手段が移動した時の構成概略図である。
【図３】本実施の形態に係る画像読取装置の外観図である。
【図４】従来技術の画像読取装置の内部構成概略図である。
【図５】従来技術の画像読取装置でフラットケーブルが座屈する様子を示す説明図である。
【符号の説明】
１０１  枠体
１０５  原稿台ガラス
１０７  ホルダ
１１０  読取ユニット
１２１  フラットケーブル
１２２  メイン基板
１２３  ＵＳＢ基板
１２４  ＵＳＢコネクタ
【図１】
0003703374.tif 000002
【図２】
0003703374.tif 000003
【図３】
0003703374.tif 000004
【図４】
0003703374.tif 000005
【図５】
0003703374.tif 000006